(57)【要約】【課題】携帯通信端末が受信できる受信チャンネル情報を容易に設定する。【解決手段】放送受信部１０３が、記憶部１０１に設定された受信チャンネル情報を用いて、デジタル放送を受信し、識別情報取得部１０２が、現在接続されている基地局を識別するための基地局識別情報を基地局から取得し、制御部１０４が、識別情報取得部１０２が取得した基地局識別情報を受信チャンネル情報と対応付けて、対応付け情報として記憶部１０１に設定する。【選択図】図１
2014068212.tif 000002
【特許請求の範囲】
【請求項１】
記憶部と、
前記記憶部に設定された受信チャンネル情報を用いて、デジタル放送を受信する放送受信部と、
現在接続されている基地局を識別するための基地局識別情報を、該基地局から取得する識別情報取得部と、
前記識別情報取得部が取得した基地局識別情報を、前記受信チャンネル情報と対応付けて、対応付け情報として前記記憶部に設定する制御部とを有する携帯通信端末。
【請求項２】
請求項１に記載の携帯通信端末において、
前記放送受信部は、前記識別情報取得部が取得した基地局識別情報と対応付けられて前記記憶部に設定されている受信チャンネル情報を用いて、デジタル放送を受信することを特徴とする携帯通信端末。
【請求項３】
請求項１または請求項２に記載の携帯通信端末において、
前記放送受信部は、前記識別情報取得部が前記基地局識別情報を取得できない場合、前記識別情報取得部が最近取得した基地局識別情報と対応付けられて前記記憶部に設定されている受信チャンネル情報を用いて、デジタル放送を受信することを特徴とする携帯通信端末。
【請求項４】
請求項１から３のいずれか１項に記載の携帯通信端末において、
前記識別情報取得部は、当該携帯通信端末の位置を特定可能な位置特定情報を取得し、
前記制御部は、前記識別情報取得部が取得した位置特定情報を、前記受信チャンネル情報と対応付けて、対応付け情報として前記記憶部に設定することを特徴とする携帯通信端末。
【請求項５】
請求項４に記載の携帯通信端末において、
前記放送受信部は、前記識別情報取得部が取得した位置特定情報と対応付けられて前記記憶部に設定されている受信チャンネル情報を用いて、デジタル放送を受信することを特徴とする携帯通信端末。
【請求項６】
請求項１から５のいずれか１項に記載の携帯通信端末において、
前記制御部は、前記対応付け情報を、通信ネットワーク上に設けられたサーバに設定することを特徴とする携帯通信端末。
【請求項７】
記憶部に設定された受信チャンネル情報を用いて、デジタル放送を受信する処理と、
現在接続されている基地局を識別するための基地局識別情報を、該基地局から取得する処理と、
前記取得した基地局識別情報を、前記受信チャンネル情報と対応付けて、対応付け情報として前記記憶部に設定する処理とを行う情報設定方法。
【請求項８】
携帯通信端末に、
記憶部に設定された受信チャンネル情報を用いて、デジタル放送を受信する手順と、
現在接続されている基地局を識別するための基地局識別情報を、該基地局から取得する手順と、
前記取得した基地局識別情報を、前記受信チャンネル情報と対応付けて、対応付け情報として前記記憶部に設定する手順とを実行させるためのプログラム。
【発明の詳細な説明】
【技術分野】
【０００１】
本発明は、デジタル放送の受信に用いる携帯通信端末、情報の情報設定方法およびプログラムに関する。
【背景技術】
【０００２】
近年、携帯電話機等の携帯通信端末には、携帯機器を受信対象とする地上デジタルテレビ放送（以下、ワンセグと称する）を受信する機能が具備されているものが多い。このワンセグは、地域ごとに放送局と、その放送局からの放送を受信するためのチャンネルとが設定されている。携帯通信端末のように持ち運ぶ（移動する）ことが想定されている受信機では、その移動先に応じて適切なチャンネル設定を行なうことが、正常なワンセグ受信をする上で必要となる。
【０００３】
図７は、地域ごとに設定された放送局と受信チャンネルとの対応付け情報の一例を示す図である。
【０００４】
図７に示すように、「地域１」、「地域２」および「地域３」とからなる受信地域を示す情報と、受信チャンネルを示す「チャンネル」と、放送局を示す「放送局名」（チャンネル名）とが対応付けられて設定されている。この対応付けを用いることで、「地域１」、「地域２」および「地域３」を選択すれば、選択された地域で受信できる放送を放送している放送局および、その放送を受信するためのチャンネルを取得することができる。
【０００５】
一般的に、このチャンネル設定は、主に以下に説明する２つの手法のいずれか一方、または双方を用いて実施されている。
【０００６】
１つ目の手法は、携帯通信端末のメモリ内にあらかじめ保持している受信地域の情報とチャンネル情報とを結びつけたテーブル情報を利用者へ提示し、適切な地域を選択させることで、チャンネル設定を行う手法（第１の手法）である。２つ目の手法は、全チャンネルを順に受信していき、放送されているチャンネルを検索することで、現在存在している地域に応じた受信チャンネルの設定を行う手法（第２の手法）である。
【０００７】
図８Ａ〜Ｆは、第１の手法を用いた受信チャンネル設定時の携帯通信端末における表示画面の一例を示す図である。ここでは、利用者が札幌にいる場合を例に挙げて説明する。
【０００８】
まず、図８Ａに示すような設定初期画面が携帯通信端末に表示される。図８Ａに示した画面に対して、受信チャンネル設定のための利用者の操作（例えば、メニューボタン操作やタッチ操作）が行われると、図８Ｂに示すような地域設定用メニュー画面が表示される。次に、図８Ｂに示したメニューの中から「２．受信地域から設定」が選択されると、図８Ｃに示すような図７で説明した「地域１」を選択するための地域選択画面が表示される。次に、図８Ｃに示した地域の中から「１．北海道・東北」が選択されると、図８Ｄに示すような図７で説明した「地域２」を選択するための地域選択画面が表示される。次に、図８Ｄに示した地域の中から「１．北海道」が選択されると、図８Ｅに示すような図７で説明した「地域３」を選択するための地域選択画面が表示される。そして、図８Ｅに示した地域の中から「１．札幌」が選択されると、図８Ｆに示すように、図８Ａに示した画面において未設定であった地域に札幌が登録された設定完了画面が表示される。このような設定が行われると、図７に示した対応付けにおいて、札幌と対応付けられている放送局および受信チャンネルが当該携帯通信端末に設定される。
【０００９】
図９Ａ〜Ｂは、第２の手法を用いた受信チャンネル設定時の携帯通信端末における表示画面の一例を示す図である。第２の手法の一部は、図８Ａ，Ｂも用いて説明する。
【００１０】
まず、図８Ａに示すような設定初期画面が携帯通信端末に表示される。図８Ａに示した画面に対して、受信チャンネル設定のための利用者の操作（例えば、メニューボタン操作やタッチ操作）が行われると、図８Ｂに示すような地域設定用メニュー画面が表示される。次に、図８Ｂに示したメニューの中から「３．チャンネルスキャン設定」が選択されると、すべてのチャンネルのスキャンが開始され、図９Ａに示すようなチャンネルのスキャン中である旨を示す画面が表示される。スキャンが終了すると、取得した、放送を受信することができる受信チャンネル情報が設定される。この第２の手法は、全チャンネルを順に受信していくことから、第１の手法と比べて時間がかかるが、その地点で受信可能な全てのチャンネル情報が取得でき、より確実なその地点での受信チャンネル情報の取得が可能である。
【００１１】
何れの手法をとる場合でも、移動に伴って必要となるチャンネル設定は、利用者の手を煩わせるものであり、チャンネル設定を自動化することは解決すべき課題として挙げられる。
【００１２】
そこで、受信チャンネルの設定の自動化について、様々な技術が考えられている。
【００１３】
例えば、基地局から送信されてきた情報に基づいて、受信チャンネルの設定を自動的に行う技術が考えられている（例えば、特許文献１参照。）。具体的には、基地局から送信されてきたＧＰＳ（Ｇｌｏｂａｌ  Ｐｏｓｉｔｉｏｎｉｎｇ  Ｓｙｓｔｅｍ）情報に基づいて、受信チャンネルの設定を行う。
【００１４】
また、同様にＧＰＳ情報を用いて設定を行うものであって、携帯電話機の基地局ＩＤの切り替え頻度を、受信する放送局の切り替えタイミングとする技術が考えられている（例えば、特許文献２参照。）。
【００１５】
また、サーバが基地局情報と周波数情報とをあらかじめ対応付けておき、通信端末装置が基地局情報を用いてテレビ放送の周波数をサーバから取得することで、受信地域に応じたテレビ周波数を設定する技術が考えられている（例えば、特許文献３参照。）。
【先行技術文献】
【特許文献】
【００１６】
【特許文献１】特開２００３−３０９７７４号公報
【特許文献２】特開２００９−３０２６９１号公報
【特許文献３】特開２００５−１７５５５６号公報
【発明の概要】
【発明が解決しようとする課題】
【００１７】
しかしながら、特許文献１に記載されたような技術においては、ＧＰＳ情報と、図７に示したような対応付け情報とをリンクさせるためのキーの設定が必要となってしまう。ＧＰＳ情報は、ある地点の緯度経度を示す情報であり、それを地域情報とリンクするには、それぞれの地域を緯度経度で示す必要があり、膨大な作業が必要となってしまう。また、その地域の設定には、それぞれの放送施設の特性に基づいて放送電波の到達範囲などを考慮しなければならない。
【００１８】
また、特許文献２に記載された技術においても、実際のワンセグ受信のための地域情報は、あらかじめ保持している必要がある。
【００１９】
また、特許文献３に記載されたような技術においては、サーバが基地局情報をあらかじめ入手し、その基地局の通信範囲において受信できるチャンネルを調査して、その結果を対応付けて格納しておかなければならない。
【００２０】
このように、一般的に実施されている、または考えられている技術においては、携帯通信端末が受信できる受信チャンネル情報を設定するには手間がかかってしまうという問題点がある。
【００２１】
本発明の目的は、上述した課題を解決する携帯通信端末、情報設定方法およびプログラムを提供することである。
【課題を解決するための手段】
【００２２】
本発明の携帯通信端末は、
記憶部と、
前記記憶部に設定された受信チャンネル情報を用いて、デジタル放送を受信する放送受信部と、
現在接続されている基地局を識別するための基地局識別情報を、該基地局から取得する識別情報取得部と、
前記識別情報取得部が取得した基地局識別情報を、前記受信チャンネル情報と対応付けて、対応付け情報として前記記憶部に設定する制御部とを有する。
【００２３】
また、本発明の情報設定方法は、
記憶部に設定された受信チャンネル情報を用いて、デジタル放送を受信する処理と、
現在接続されている基地局を識別するための基地局識別情報を、該基地局から取得する処理と、
前記取得した基地局識別情報を、前記受信チャンネル情報と対応付けて、対応付け情報として前記記憶部に設定する処理とを行う。
【００２４】
また、本発明のプログラムは、
携帯通信端末に実行させるためのプログラムであって、
記憶部に設定された受信チャンネル情報を用いて、デジタル放送を受信する手順と、
現在接続されている基地局を識別するための基地局識別情報を、該基地局から取得する手順と、
前記取得した基地局識別情報を、前記受信チャンネル情報と対応付けて、対応付け情報として前記記憶部に設定する手順とを実行させる。
【発明の効果】
【００２５】
以上説明したように、本発明においては、携帯通信端末が受信できる受信チャンネル情報を容易に設定することができる。
【図面の簡単な説明】
【００２６】
【図１】本発明の携帯通信端末の実施の一形態を示す図である。
【図２】図１に示した携帯通信端末の詳細な内部構成の一例を示す図である。
【図３】図２に示した携帯通信端末が含まれる無線ネットワークの構成の一例を示す図である。
【図４】図２に示した携帯通信端末を用いた情報設定方法のうち、記憶部に内容を記憶する処理を説明するためのフローチャートである。
【図５】図２に示した記憶部に設定された対応付け情報の一例を示す図である。
【図６】図２に示した携帯通信端末を用いた情報設定方法のうち、記憶部に記憶された受信チャンネル情報から放送を受信するための受信チャンネル情報を自動設定する処理を説明するためのフローチャートである。
【図７】地域ごとに設定された放送局と受信チャンネルとの対応付け情報の一例を示す図である。
【図８Ａ】第１の手法を用いた受信チャンネル設定時の携帯通信端末における表示画面の一例を示す図である。
【図８Ｂ】第１の手法を用いた受信チャンネル設定時の携帯通信端末における表示画面の一例を示す図である。
【図８Ｃ】第１の手法を用いた受信チャンネル設定時の携帯通信端末における表示画面の一例を示す図である。
【図８Ｄ】第１の手法を用いた受信チャンネル設定時の携帯通信端末における表示画面の一例を示す図である。
【図８Ｅ】第１の手法を用いた受信チャンネル設定時の携帯通信端末における表示画面の一例を示す図である。
【図８Ｆ】第１の手法を用いた受信チャンネル設定時の携帯通信端末における表示画面の一例を示す図である。
【図９Ａ】第２の手法を用いた受信チャンネル設定時の携帯通信端末における表示画面の一例を示す図である。
【図９Ｂ】第２の手法を用いた受信チャンネル設定時の携帯通信端末における表示画面の一例を示す図である。
【発明を実施するための形態】
【００２７】
以下に、本発明の実施の形態について図面を参照して説明する。
【００２８】
図１は、本発明の携帯通信端末の実施の一形態を示す図である。
【００２９】
本形態における携帯通信端末１００には図１に示すように、記憶部１０１と、識別情報取得部１０２と、放送受信部１０３と、制御部１０４とが設けられている。
【００３０】
記憶部１０１は、識別情報取得部１０２が取得した基地局識別情報と受信チャンネル情報とを対応付けて、対応付け情報として記憶する。この対応付け情報の詳細については、後述する。また、記憶部１０１は、制御部１０４が実行するプログラムや、処理中のデータ等を記憶する。
【００３１】
識別情報取得部１０２は、基地局との間で通信（音声通話、データ通信等）を行う通信機能部である。このとき、識別情報取得部１０２は、現在接続されている基地局を識別するための基地局識別情報を、その基地局から取得する。一般的に、携帯通信端末と基地局とは、それぞれ固有のＩＤ（識別情報）を持っており、携帯通信端末はその交信先となる基地局とそれぞれのＩＤを交換し、交信の際にはそのＩＤ情報を元に交信相手を特定している。また、識別情報取得部１０２は、取得した基地局識別情報を制御部１０４へ出力する。
【００３２】
放送受信部１０３は、記憶部１０１に設定された受信チャンネル情報を用いて、地上デジタルテレビ放送（ワンセグ）を受信する。また、放送受信部１０３は、識別情報取得部１０２が取得した基地局識別情報と対応付けられて記憶部１０１に設定されている受信チャンネル情報を用いて、地上デジタルテレビ放送を受信する。具体的には、放送受信部１０３は、制御部１０４から通知された受信チャンネル情報を用いて、地上デジタルテレビ放送を受信する。
【００３３】
制御部１０４は、識別情報取得部１０２から出力されてきた基地局識別情報を、受信チャンネル情報と対応付けて、対応付け情報として記憶部１０１に設定する。また、制御部１０４は、識別情報取得部１０２から出力されてきた基地局識別情報と対応付けられた受信チャンネル情報が記憶部１０１に記憶されている場合、その受信チャンネル情報を放送受信部１０３へ通知する。
【００３４】
図２は、図１に示した携帯通信端末１００の詳細な内部構成の一例を示す図である。
【００３５】
図１に示した携帯通信端末１００には図２に示すように、図１に示した記憶部１０１と、識別情報取得部１０２と、放送受信部１０３と、制御部１０４とのほかに、出力部１０５と、入力部１０６とが設けられている。
【００３６】
出力部１０５は、放送受信部１０３が受信した地上デジタルテレビ放送の映像および音声を出力（表示、放音）する。また、出力部１０５は、識別情報取得部１０２が受信した画像、記憶部１０１に記憶された画像、制御部１０４が指定する文字、図形等を表示する。また、出力部１０５は、識別情報取得部１０２が受信した音声、記憶部１０１に記憶された音声、制御部１０４が指定する音声等を放音する。
【００３７】
入力部１０６は、電源ボタンやメニューボタンなどのボタン類やダイヤル、タッチパネル等であり、利用者の操作に基づいた入力を受け付ける。
【００３８】
図３は、図２に示した携帯通信端末１００が含まれる無線ネットワークの構成の一例を示す図である。無線ネットワークは、携帯通信端末の交信先となる基地局が一定のエリア（基地局エリア）をカバーしており、その基地局エリアが複数個集まることで広範囲で携帯通信端末が使えるように設計されている。
【００３９】
図３に示すように、基地局２００−１〜２００−３それぞれがカバーする基地局エリア３００−１〜３００−３が隣接しており、無線ネットワークを構築している。なお、図３においては、基地局が３台である場合を例に挙げて示しているが、その数に限定しないことは言うまでもない。ここで、携帯通信端末１００は基地局２００−１が交信範囲として管理する基地局エリア３００−１内に存在している。このとき、携帯通信端末１００はその交信先となる基地局２００−１の基地局識別情報を取得している。この基地局識別情報は、交信先の基地局を識別するために用いられるため、個々の基地局で異なるものが割り当てられている。つまり、基地局２００−１と、基地局２００−２と、基地局２００−３とは、それぞれ互いに異なる基地局識別情報を持っている。それぞれの交信範囲として管理する基地局エリア内に存在する携帯通信端末１００は、その基地局識別情報を取得することで交信先となる基地局の識別が可能となっている。これが取得され、基地局との情報交信や通話が可能であれれば、携帯通信端末１００はその無線ネットワークの「圏内」にあると判定される。一方、携帯通信端末１００がいずれの基地局からも基地局識別情報を取得できていない場合は「圏外」にあると判定される。
【００４０】
以下に、図２に示した携帯通信端末１００を用いた情報設定方法について説明する。
【００４１】
図４は、図２に示した携帯通信端末１００を用いた情報設定方法のうち、記憶部１０１に内容を記憶する処理を説明するためのフローチャートである。
【００４２】
まず、図８Ａ〜Ｆおよび図９Ａ，Ｂを用いて説明した受信チャンネル情報の設定が行われると（ステップＳ１）、その行われた設定が当該設定前のものから変更されてものかどうかを制御部１０４が判定する（ステップＳ２）。設定が変更されていない場合、制御部１０４は処理を終了する。
【００４３】
一方、設定が変更されている場合は、識別情報取得部１０２が基地局識別情報（基地局ＩＤ）を取得できているかどうかを制御部１０４が判定する（ステップＳ３）。これは、制御部１０４が、識別情報取得部１０２から基地局識別情報が出力されてきているかどうかを判定したり、識別情報取得部１０２に対して、基地局識別情報を取得できているかどうかを問い合わせたりすることで実施される。
【００４４】
識別情報取得部１０２が基地局識別情報を取得できていない場合（圏外である場合）、制御部１０４は処理を終了する。
【００４５】
一方、識別情報取得部１０２が基地局識別情報を取得できている場合（圏内である場合）は、制御部１０４は、設定された受信チャンネル情報と、識別情報取得部１０２が取得した（識別情報取得部１０２から出力されてきた）基地局識別情報とを対応付けて、対応付け情報として記憶部１０１に設定する（ステップＳ４）。
【００４６】
図５は、図２に示した記憶部１０１に設定された対応付け情報の一例を示す図である。
【００４７】
図２に示した記憶部１０１に設定された対応付け情報は図５に示すように、受信チャンネル情報である、地域１〜３、チャンネルおよび放送局名と、基地局識別情報である対応基地局とが対応付けられている。図７に示した対応付け情報と比較して、その地域に設定された際の基地局識別情報が追加されている。
【００４８】
例えば、携帯通信端末１００が札幌に存在する場合、チャンネル「１９」にＨＢＣ北海道放送が設定され、チャンネル「１３」にＮＨＫＥテレ札幌が設定され、チャンネル「１５」にＮＨＫ総合・札幌が設定され、チャンネル「２１」にＳＴＶ札幌テレビが設定され、チャンネル「２３」にＨＴＢ北海道テレビが設定され、チャンネル「１４」にＴＶＨが設定され、チャンネル「２５」にＵＨＢが設定され、さらに、そのときに識別情報取得部１０２が取得した基地局識別情報が「Ａ００５１２」および「Ａ００１２８」が追加されて記憶部１０１に設定される。
【００４９】
図６は、図２に示した携帯通信端末１００を用いた情報設定方法のうち、記憶部１０１に記憶された受信チャンネル情報から放送を受信するための受信チャンネル情報を自動設定する処理を説明するためのフローチャートである。
【００５０】
まず、携帯通信端末１００がワンセグ機能を開始すると（ステップＳ１１）、識別情報取得部１０２が基地局識別情報（基地局ＩＤ）を取得できているかどうかを制御部１０４が判定する（ステップＳ１２）。これは、制御部１０４が、識別情報取得部１０２から基地局識別情報が出力されてきているかどうかを判定したり、識別情報取得部１０２に対して、基地局識別情報を取得できているかどうかを問い合わせたりすることで実施される。
【００５１】
識別情報取得部１０２が基地局識別情報を取得できていない場合、制御部１０４は処理を終了する。この場合、ワンセグ機能の受信チャンネル設定は、前回の設定のまま変更されない。
【００５２】
一方、識別情報取得部１０２が基地局識別情報を取得できている場合は、制御部１０４は、識別情報取得部１０２が取得した基地局識別情報を検索キーとして、受信チャンネル情報を記憶部１０１から検索する（ステップＳ１３）。つまり、制御部１０４は、識別情報取得部１０２が取得した基地局識別情報と対応付けられて記憶されている受信チャンネル情報（図５に示した「チャンネル」および「放送局名」）を検索する。
【００５３】
識別情報取得部１０２が取得した基地局識別情報と対応付けられた受信チャンネル情報が記憶部１０１に記憶されていない場合、制御部１０４は処理を終了する。この場合、ワンセグ機能の受信チャンネル設定は、前回の設定のまま変更されない。
【００５４】
一方、識別情報取得部１０２が取得した基地局識別情報と対応付けられた受信チャンネル情報が記憶部１０１に記憶されている場合は、識別情報取得部１０２が取得した基地局識別情報と対応付けられた受信チャンネル情報が、その受信地域に合う周波数情報（チャンネル情報）としてワンセグ機能の受信地域情報（チャンネル設定）へ自動的に設定される（ステップＳ１４）。
【００５５】
このようにして、初回の受信地域設定時にその存在場所の基地局識別情報を、設定された受信チャンネル情報と対応付けて記憶することにより、次回、同じ基地局の配下に存在している状態でワンセグを受信する場合は、その基地局配下での設定へ自動的に復帰させることができる。
【００５６】
また、基地局識別情報を用いずに、類似の情報として、携帯通信端末の位置が特定可能な情報（位置特定情報）であれば他の情報を用いるものであっても良い。この場合、識別情報取得部１０２は、携帯通信端末１００の位置を特定可能な位置特定情報を取得し、制御部１０４は、識別情報取得部１０２が取得した位置特定情報と受信チャンネル情報とを対応付けて、対応付け情報として記憶部１０１に設定する。そして、放送受信部１０３は、識別情報取得部１０２が取得した位置特定情報と対応付けられて記憶部１０１に設定されている受信チャンネル情報を用いて、地上デジタルテレビ放送を受信する。この位置特定情報は、例えば、基地局から配信されるエリア情報などが考えられる。例えば、一般にＧＰＳ機能が搭載されている携帯通信端末は、ＧＰＳ衛星からの電波を受けられない室内や地下に存在している場合であっても、通話・通信に利用している基地局の位置情報を利用して自身の位置を認識することができる。このように基地局から利用できる位置情報をエリア情報として用いるものであっても良い。
【００５７】
また、位置特定情報は、ＧＰＳ等で取得される絶対位置情報でもかまわなければ、無線ＬＡＮ（Ｌｏｃａｌ  Ａｒｅａ  Ｎｅｔｗｏｒｋ）のＳＳＩＤ（Ｓｅｒｖｉｃｅ  Ｓｅｔ  Ｉｄｅｎｔｉｆｉｅｒ）のような範囲を限ることができる情報であっても良い。
【００５８】
また、基地局識別情報と位置特定情報とをあわせて地域情報と対応付けて記憶しておくことも可能である。
【００５９】
また、ステップＳ３にて、識別情報取得部１０２が基地局識別情報を取得できていない場合、制御部１０４は、記憶部１０１に記憶されている対応付け情報の中で、最近登録した基地局識別情報を、サブ情報として記憶部１０１に登録するような施策を講じても良い。また、直前（最近）の基地局圏内であっても、その受信チャンネル情報と同じ受信チャンネル情報を用いてワンセグの受信ができる可能性が高いことから、制御部１０４は、サブ情報として、その基地局識別情報をあわせて登録するなどしても良い。このサブ情報は、対応する基地局識別情報が記憶部１０１に記憶されていない場合に使用される。
【００６０】
また、ステップＳ１２にて、識別情報取得部１０２が基地局識別情報を取得できていない場合、直近（最近）取得した基地局識別情報をその代替としてステップＳ１３に進めたりすることも可能である。つまり、放送受信部１０３は、識別情報取得部１０２が基地局識別情報を取得できない場合、識別情報取得部１０２が最近取得した基地局識別情報と対応付けられて記憶部１０１に設定されている受信チャンネル情報を用いて、地上デジタルテレビ放送を受信するものであっても良い。
【００６１】
このような最近取得した基地局識別情報を用いることで、より自動での設定が行われる可能性が高くなることが期待できる。
【００６２】
また、記憶部１０１が、基地局識別情報と共に追加情報として、その際の電波強度や時刻などの補助情報を記憶し、制御部１０４が、自動設定時にそれらの情報を用いて、設定すべき受信チャンネル情報を特定することも可能である。例えば、基地局識別情報に対応する受信チャンネル情報が複数ある場合、制御部１０４は、電波強度が最高となるものを特定する。また、基地局識別情報に対応する受信チャンネル情報が複数ある場合、制御部１０４は、時刻が最近であるものを特定する。
【００６３】
さらに、ステップＳ１にて受信チャンネル設定処理が実施され、ステップＳ２にて設定変更された場合に、記憶部１０１が基地局識別情報を受信チャンネル情報と対応付けて記憶するものではなく、制御部１０４が、ワンセグ視聴／録画中に取得した基地局識別情報すべてを記憶部１０１に登録するような施策も可能である。また、受信チャンネル情報の設定変更のタイミングは、ワンセグ機能の開始時だけではなく、ワンセグ視聴／録画中であっても良い。
【００６４】
また、記憶部１０１に記憶される対応付け情報は、携帯通信端末１００内部ではなく、携帯通信端末１００が接続されている通信ネットワークやＷｉＦｉからアクセスできる場所、例えば、当該通信ネットワーク上に設けられたサーバに記憶されるものであっても良い。この場合、制御部１０４は、対応付け情報をそのサーバに設定する。このように、外部の装置に対応付け情報を記憶させることで、その受信チャンネル情報を他の利用者と共用しても良い。こうすることで、自身が初めて行く場所であっても、他人が既にそこを訪れてワンセグ機能を実施していれば、自動で自身についても設定がされるというメリットが出てくる。さらには、それらの情報について必要な編集機能などを提供しても良い。
【００６５】
また、上述した各機能について、機能のＯＮ／ＯＦＦの設定を設けることや、機能部分毎の実施要否など、各種の設定を設けることも可能である。
【００６６】
なお、本発明においては、当初からある程度の情報に基づいて、あらかじめ基地局識別情報を受信チャンネル情報と対応付けて記憶しておくことを拒絶するものではない。
【００６７】
このように、本発明では、特許文献１に記載された技術のようにあらかじめ受信チャンネル情報と基地局情報とを結び付けておくのでなく、運用中にデータベースを構築していくため、あらかじめ設定するという手間を省くことが可能となる。
【００６８】
以上説明したように、本発明においては、以下に記載するような効果を奏する。
【００６９】
第１の効果は、携帯通信端末の存在する位置が、以前にワンセグ受信を行った基地局の範囲内（圏内）であれば、自動でその位置に適応した受信チャンネル情報の設定が行われるという点である。
【００７０】
第２の効果は、その自動設定が、総務省から公開されている情報ではカバーされていない地域であっても、実施されるという点である。
【００７１】
第３の効果は、基地局識別情報を検索キーとしているため、ワンセグ機能付き携帯通信端末で新たなハードウェアの搭載は不要であり、ソフトウェアのみで実施可能ということである。つまり、これは、ワンセグ機能付き携帯通信端末の重量やサイズの増加、ハードウェアコストの上昇無しに実施可能という効果である。
【００７２】
第４の効果は、本発明はソフトウェアの更新のみで対応可能ということであり、既存の基地局やそのネットワークなどについて一切の変更なしに実施可能という点である。
【００７３】
なお、上述した実施の形態においては、デジタル放送を地上デジタルテレビ放送（ワンセグ）を例に挙げて説明したが、他のデジタルテレビ放送（地上波デジタル放送（１２セグメントやフルセグセグメント）、ＢＳデジタルテレビ放送、ＣＳデジタルテレビ放送等）やデジタルラジオ放送（地上デジタル音声放送、ＢＳデジタル音声放送、ＣＳデジタル音声放送等）に本願発明を適用しても良い。
【００７４】
また、上述した携帯通信端末１００は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等の電子機器である。
【００７５】
上述した携帯通信端末１００に設けられた各構成要素が行う処理は、目的に応じてそれぞれ作製された論理回路で行うようにしても良い。また、処理内容を手順として記述したコンピュータプログラム（以下、プログラムと称する）を携帯通信端末１００にて読取可能な記録媒体に記録し、この記録媒体に記録されたプログラムを携帯通信端末１００に読み込ませ、実行するものであっても良い。携帯通信端末１００にて読取可能な記録媒体とは、フロッピー（登録商標）ディスク、光磁気ディスク、ＤＶＤ、ＣＤなどの移設可能な記録媒体の他、携帯通信端末１００に内蔵されたＲＯＭ、ＲＡＭ等のメモリやＨＤＤ等を指す。この記録媒体に記録されたプログラムは、携帯通信端末１００に設けられた制御部１０４にて読み込まれ、制御部１０４の制御によって、上述したものと同様の処理が行われる。ここで、制御部１０４は、プログラムが記録された記録媒体から読み込まれたプログラムを実行するコンピュータとして動作するものである。
【００７６】
上記の実施の形態の一部または全部は、以下の付記のようにも記載され得るが、以下には限られない。
（付記１）記憶部と、
前記記憶部に設定された受信チャンネル情報を用いて、デジタル放送を受信する放送受信部と、
現在接続されている基地局を識別するための基地局識別情報を、該基地局から取得する識別情報取得部と、
前記識別情報取得部が取得した基地局識別情報を、前記受信チャンネル情報と対応付けて、対応付け情報として前記記憶部に設定する制御部とを有する携帯通信端末。
（付記２）前記放送受信部は、前記識別情報取得部が取得した基地局識別情報と対応付けられて前記記憶部に設定されている受信チャンネル情報を用いて、デジタル放送を受信することを特徴とする、付記１に記載の携帯通信端末。
（付記３）前記放送受信部は、前記識別情報取得部が前記基地局識別情報を取得できない場合、前記識別情報取得部が最近取得した基地局識別情報と対応付けられて前記記憶部に設定されている受信チャンネル情報を用いて、デジタル放送を受信することを特徴とする、付記１または付記２に記載の携帯通信端末。
（付記４）前記識別情報取得部は、当該携帯通信端末の位置を特定可能な位置特定情報を取得し、
前記制御部は、前記識別情報取得部が取得した位置特定情報を、前記受信チャンネル情報と対応付けて、対応付け情報として前記記憶部に設定することを特徴とする、付記１から３のいずれか１項に記載の携帯通信端末。
（付記５）前記放送受信部は、前記識別情報取得部が取得した位置特定情報と対応付けられて前記記憶部に設定されている受信チャンネル情報を用いて、デジタル放送を受信することを特徴とする、付記４に記載の携帯通信端末。
（付記６）前記制御部は、前記対応付け情報を、通信ネットワーク上に設けられたサーバに設定することを特徴とする、付記１から５のいずれか１項に記載の携帯通信端末。
（付記７）記憶部に設定された受信チャンネル情報を用いて、デジタル放送を受信する処理と、
現在接続されている基地局を識別するための基地局識別情報を、該基地局から取得する処理と、
前記取得した基地局識別情報を、前記受信チャンネル情報と対応付けて、対応付け情報として前記記憶部に設定する処理とを行う情報設定方法。
（付記８）携帯通信端末に、
記憶部に設定された受信チャンネル情報を用いて、デジタル放送を受信する手順と、
現在接続されている基地局を識別するための基地局識別情報を、該基地局から取得する手順と、
前記取得した基地局識別情報を、前記受信チャンネル情報と対応付けて、対応付け情報として前記記憶部に設定する手順とを実行させるためのプログラム。
【符号の説明】
【００７７】
１００    携帯通信端末
１０１    記憶部
１０２    識別情報取得部
１０３    放送受信部
１０４    制御部
１０５    出力部
１０６    入力部
２００−１〜２００−３    基地局
３００−１〜３００−３    基地局エリア
【図１】
2014068212.tif 000003
【図２】
2014068212.tif 000004
【図３】
2014068212.tif 000005
【図４】
2014068212.tif 000006
【図５】
2014068212.tif 000007
【図６】
2014068212.tif 000008
【図７】
2014068212.tif 000009
【図８Ａ】
2014068212.tif 000010
【図８Ｂ】
2014068212.tif 000011
【図８Ｃ】
2014068212.tif 000012
【図８Ｄ】
2014068212.tif 000013
【図８Ｅ】
2014068212.tif 000014
【図８Ｆ】
2014068212.tif 000015
【図９Ａ】
2014068212.tif 000016
【図９Ｂ】
2014068212.tif 000017